(57)【要約】【課題】意図しない端末装置からの印刷処理の実行を防止できる印刷装置を提供する。【解決手段】端末装置と複数の接続形態により通信可能であり、該端末装置から端末情報を含む印刷データを受信する通信部と、該印刷データに基づく印刷処理を実行するための実行部とを備える印刷装置に、複数の接続形態それぞれの接続形態情報に対応させて、印刷処理を許可する許可端末装置の端末情報を格納する格納部と、受信した印刷データから端末情報を読み出す読出部と、通信部から接続形態を示す接続形態情報を取得する取得部と、取得された接続形態情報に基づいて、格納部から対応する端末情報を読み出して、該端末情報と読出部により読み出された端末情報とが一致するか否かを判断する判断部と、一致しないと判断されると、実行部による印刷処理を停止する印刷制御部とを設ける。【選択図】        図１
2008272939.tif 000002
【特許請求の範囲】
【請求項１】
端末装置と複数の接続形態により通信可能であり、該端末装置から端末情報を含む印刷データを受信する通信部と、該印刷データに基づく印刷処理を実行するための実行部とを備える印刷装置であって、
前記複数の接続形態それぞれの接続形態情報に対応させて、印刷処理を許可する許可端末装置の端末情報を格納する格納部と、
受信した前記印刷データから端末情報を読み出す読出部と、
前記通信部から接続形態を示す接続形態情報を取得する取得部と、
取得された前記接続形態情報に基づいて、前記格納部から対応する端末情報を読み出して、該端末情報と前記読出部により読み出された端末情報とが一致するか否かを判断する判断部と、
一致しないと判断されると、前記実行部による前記印刷処理を停止する印刷制御部とを備える
ことを特徴とする印刷装置。
【請求項２】
前記判断部により一致すると判断されると、前記印刷制御部は、前記実行部に前記印刷処理を実行させることを特徴とする請求項１記載の印刷装置。
【請求項３】
前記印刷制御部は、更に前記印刷処理の停止を通知するための停止通知信号を生成して、前記通信部に前記端末装置へ送信させることを特徴とする請求項１記載の印刷装置。
【請求項４】
前記端末情報は、前記端末装置を識別するための端末識別情報からなることを特徴とする請求項１記載の印刷装置。
【請求項５】
前記端末識別情報は、前記端末装置のＭＡＣ（Ｍｅｄｉａ  Ａｃｃｅｓｓ  Ｃｏｎｔｒｏｌ）アドレスからなることを特徴とする請求項４規制の印刷装置。
【請求項６】
前記端末識別情報は、前記端末装置の端末装置名からなることを特徴とする請求項４記載の印刷装置。
【請求項７】
前記端末識別情報は、前記端末装置のＩＰアドレスからなることを特徴とする請求項４記載の印刷処理システム。
【請求項８】
前記端末装置は、無線ネットワークを介して前記印刷装置との間で通信を行い、前記端末情報は、ＳＳＩＤ（Ｓｅｒｖｉｃｅ  Ｓｅｔ  Ｉｄｅｎｔｉｆｉｅｒ）からなることを特徴とする請求項１記載の印刷装置。
【請求項９】
前記端末情報は、前記端末装置の接続ネットワークセグメントを示すセグメント情報からなることを特徴とする請求項１記載の印刷装置。
【請求項１０】
前記通信部は、無線ネットワークを介して通信を行い、前記接続形態情報は、ＳＳＩＤからなることを特徴とする請求項１記載の印刷装置。
【請求項１１】
前記通信部は、無線ネットワーク及び有線ネットワークを介して通信可能であり、前記接続形態情報は、有線ネットワークとの接続の有無を示す有線接続有無情報からなることを特徴とする請求項１記載の印刷装置。
【請求項１２】
前記接続形態情報は、接続ネットワークセグメントを示すセグメント情報からなることを特徴とする請求項１記載の印刷装置。
【請求項１３】
端末装置と、該端末装置と複数の接続形態により通信可能な印刷装置とを含む印刷処理システムであって、
前記端末装置は、
端末情報を含む印刷データを生成する生成部と、
生成された前記印刷データを前記印刷装置へ送信する端末送信部とを備え、
前記印刷装置は、
前記複数の接続形態それぞれの接続形態情報に対応させて、印刷処理を許可する許可端末装置の端末情報を格納する格納部と、
前記端末装置から前記印刷データを受信する通信部と、
受信した前記印刷データから端末情報を読み出す読出部と、
前記通信部から接続形態を示す接続形態情報を取得する取得部と、
取得された前記接続形態情報に基づいて、前記格納部から対応する端末情報を読み出して、該端末情報と前記読出部により読み出された端末情報とが一致するか否かを判断する判断部と、
一致しないと判断されると、前記印刷データに基づく印刷処理を停止する印刷制御部とを備える
ことを特徴とする印刷処理システム。
【請求項１４】
前記印刷装置は、前記印刷処理を実行するための実行部を更に備え、
前記判断部により一致すると判断されると、前記印刷制御部は、前記実行部に前記印刷処理を実行させることを特徴とする請求項１３記載の印刷処理システム。
【請求項１５】
前記印刷制御部は、更に前記印刷処理の停止を通知するための停止通知信号を生成して、前記通信部に前記端末装置へ送信させることを特徴とする請求項１３記載の印刷処理システム。
【請求項１６】
前記端末装置は、
前記印刷装置から前記停止通知信号を受信する端末受信部と、
受信した前記停止通知信号に基づいて、前記停止を通知するための通知画面を表示する表示部とを更に備える
ことを特徴とする請求項１５記載の印刷処理システム。
【請求項１７】
前記端末情報は、前記端末装置を識別するための端末識別情報からなることを特徴とする請求項１３記載の印刷処理システム。
【請求項１８】
前記端末識別情報は、前記端末装置のＭＡＣアドレスからなることを特徴とする請求項１７記載の印刷処理システム。
【請求項１９】
前記端末識別情報は、前記端末装置の端末装置名からなることを特徴とする請求項１７記載の印刷処理システム。
【請求項２０】
前記端末識別情報は、前記端末装置のＩＰアドレスからなることを特徴とする請求項１７記載の印刷処理システム。
【請求項２１】
前記端末装置は、無線ネットワークを介して通信を行い、前記端末情報は、ＳＳＩＤからなることを特徴とする請求項１３記載の印刷処理システム。
【請求項２２】
前記端末情報は、前記端末装置の接続ネットワークセグメントを示すセグメント情報からなることを特徴とする請求項１３記載の印刷処理システム。
【請求項２３】
前記印刷装置は、無線ネットワークを介して通信を行い、前記接続形態情報は、ＳＳＩＤからなることを特徴とする請求項１３記載の印刷処理システム。
【請求項２４】
前記印刷装置は、無線ネットワーク及び有線ネットワークを介して通信可能であり、前記接続形態情報は、有線ネットワークとの接続の有無を示す有線接続有無情報からなることを特徴とする請求項１３記載の印刷処理システム。
【請求項２５】
前記接続形態情報は、接続ネットワークセグメントを示すセグメント情報からなることを特徴とする請求項１３記載の印刷処理システム。
【発明の詳細な説明】
【技術分野】
【０００１】
本発明は、複数の接続形態により通信可能な印刷装置及び該印刷装置を含む印刷処理システムに関する。
【背景技術】
【０００２】
印刷装置と、該印刷装置にネットワークを介して接続する単数或いは複数の端末装置とから構成される印刷処理システムが、企業のオフィス環境等において、広く利用されている。
【０００３】
ところで、無線ネットワーク対応で小型、軽量の印刷装置が、近年、製品化されている（例えば、下記特許文献１参照）。このような印刷装置は、所定の場所に設置して、複数の端末装置により共有使用可能なだけでなく、容易に持ち運び可能であるため、例えば、会議の際に会議室や会議卓へ一時的に移動させて、その場での印刷処理に使用可能であるという利点があった。
【特許文献１】特開２００６−２７２１５号公報
【発明の開示】
【発明が解決しようとする課題】
【０００４】
しかしながら、上記したように印刷装置を会議室に移動させて使用中に、通常の設置場所において該印刷装置を利用している端末装置が、移動された印刷装置を出力先として印刷処理を実行させた場合、或いは、新たに無線検索を行った端末装置が、該印刷装置を出力先として印刷処理を実行させた場合、会議に無関係な印刷物が出力されてしまうという問題があった。また、端末装置のユーザは、出力された印刷物が入手できないため、他の印刷装置を利用して再度印刷処理をやり直すことになり、手間がかかるうえ、紙やトナーが無駄に消費されてしまうという問題があった。
【０００５】
したがって、意図しない端末装置からの印刷処理の実行を防止できる印刷装置及び印刷処理システムが望まれていた。
【課題を解決するための手段】
【０００６】
本発明は、以上の点を解決するために、次の構成を採用する。
【０００７】
〈構成１〉
本発明に係る印刷装置は、端末装置と複数の接続形態により通信可能であり、該端末装置から端末情報を含む印刷データを受信する通信部と、該印刷データに基づく印刷処理を実行するための実行部とを備え、複数の接続形態それぞれの接続形態情報に対応させて、印刷処理を許可する許可端末装置の端末情報を格納する格納部と、受信した印刷データから端末情報を読み出す読出部と、通信部から接続形態を示す接続形態情報を取得する取得部と、取得された接続形態情報に基づいて、格納部から対応する端末情報を読み出して、該端末情報と読出部により読み出された端末情報とが一致するか否かを判断する判断部と、一致しないと判断されると、実行部による印刷処理を停止する印刷制御部とを備えることを特徴とする。
【０００８】
〈構成２〉
本発明に係る印刷処理システムは、端末装置と、該端末装置と複数の接続形態により通信可能な印刷装置とを含み、端末装置は、端末情報を含む印刷データを生成する生成部と、生成された印刷データを印刷装置へ送信する端末送信部とを備え、印刷装置は、複数の接続形態それぞれの接続形態情報に対応させて、印刷処理を許可する許可端末装置の端末情報を格納する格納部と、端末装置から印刷データを受信する通信部と、受信した印刷データから端末情報を読み出す読出部と、通信部から接続形態を示す接続形態情報を取得する取得部と、取得された接続形態情報に基づいて、格納部から対応する端末情報を読み出して、該端末情報と読出部により読み出された端末情報とが一致するか否かを判断する判断部と、一致しないと判断されると、印刷データに基づく印刷処理を停止する印刷制御部とを備えることを特徴とする。
【発明の効果】
【０００９】
本発明の印刷装置及び印刷処理システムによれば、印刷処理が許可される許可端末装置の端末情報が、印刷装置の各接続形態に対応して予め登録される。そのため、印刷装置が一時的に移動されて接続形態に変更が生じると、許可端末装置の設定も自動的に変更されるので、意図しない端末装置からの印刷実行が防止される。したがって、無駄な印刷処理によるコストや手間が削減される。
【発明を実施するための最良の形態】
【００１０】
以下、本発明の実施形態を図を用いて詳細に説明する。
【実施例１】
【００１１】
図２は、本発明の実施例１に係る印刷処理システムの接続形態の一例を示す図（その１）である。
本実施例の印刷処理システム１０は、図２に示されるように、印刷装置１１と、端末装置１２、１３、１９と、アクセスポイント装置１４、１５とを含んで構成される。
【００１２】
図２に示される接続形態において、端末装置１２は、有線ネットワーク１６を介してアクセスポイント装置１４に有線接続されている。また、印刷装置１１及び端末装置１３は、アクセスポイント装置１４によりインフラストラクチャモードで構築された無線ネットワーク１７に無線接続され、該アクセスポイント装置１４を介して有線ネットワーク１６に接続されている。これにより、有線ネットワーク１６に接続された端末装置１２及び無線ネットワーク１７に接続された端末装置１３は、何れも、アクセスポイント装置１４を介して印刷装置１１へ印刷データを送信して、該印刷装置１１により印刷処理を実行可能となっている。
【００１３】
端末装置１２は、本実施例では、端末識別情報として端末装置名「ＰＣ１２」を有するパーソナルコンピュータからなり、図２に示されるように、有線ネットワーク１６を介してアクセスポイント装置１４に有線接続されている。また、端末装置１２には、印刷装置１１に対応するプリンタドライバが予めインストールされている。
【００１４】
図４は、端末装置の構成を示すブロック図である。
端末装置１２は、図４に示されるように、表示部２１、選択入力部２２、記憶部２３、生成部２４、端末通信部２５及び端末制御部２６を備えている。
【００１５】
表示部２１は、例えばディスプレイからなり、出力先の印刷装置をユーザに選択させるための出力先選択画面等の各種画面を表示する機能を有する。
【００１６】
選択入力部２２は、例えばマウス及びキーボードからなり、ユーザに情報を選択或いは入力させるために使用される。例えば、選択入力部２２は、印刷要求を示す印刷要求情報を入力して、端末制御部２６へ送る。また、選択入力部２２は、表示部２１に表示された出力先選択画面において、出力先として指定する印刷装置を選択して、該印刷装置の装置識別情報としての印刷装置名を含む出力先指定情報を入力して、端末制御部２６へ送る。
【００１７】
記憶部２３は、各種プログラムや設定情報等を記憶する機能を有し、プリンタドライバや、対応する印刷装置の印刷装置名、該印刷装置との通信経路を示す通信経路情報等を記憶している。
【００１８】
生成部２４は、印刷データを生成する機能を有する。生成部２４により生成される印刷データには、本実施例では、端末装置１２の端末識別情報としての端末装置名「ＰＣ１２」が含まれる。
【００１９】
端末通信部２５は、印刷データを送信する端末送信部としての機能を有し、出力先指定情報に基づいて、対応する印刷装置或いはアクセスポイント装置へ、プリンタ名及び印刷データを送信する。
【００２０】
端末制御部２６は、上記した各部２１〜２５を制御する機能を有する。
【００２１】
アクセスポイント装置１４は、有線通信機能及び無線通信機能を備えており、本実施例では、「１階」と示される設置場所に設置されている。アクセスポイント装置１４は、図２に示されるように、有線ネットワーク１６に接続され、また、インフラストラクチャモードで無線ネットワーク１７を構築している。
【００２２】
このアクセスポイント装置１４には、本実施例では、無線通信のためのＳＳＩＤ（Ｓｅｒｖｉｃｅ  Ｓｅｔ  Ｉｄｅｎｔｉｆｉｅｒ）として「Ｆｌｏｏｒ１」が割り当てられているものとする。ここで、ＳＳＩＤとは、無線ネットワークを識別するための識別情報であり、即ち、ＳＳＩＤ「Ｆｌｏｏｒ１」は、アクセスポイント装置１４により構築される無線ネットワーク１７の識別情報となる。無線通信機能を有する端末装置や印刷装置等の無線通信機器が、無線ネットワーク１７を介してアクセスポイント装置１４に無線接続するためには、該無線通信機器におけるＳＳＩＤの設定を、アクセスポイント装置１４における設定と一致させる必要がある。
【００２３】
また、アクセスポイント装置１４は、無線通信機器の認証を行う認証機能と、無線通信機器との間で送受信するデータの暗号化及び復号化機能とを備えている。このアクセスポイント装置１４には、本実施例では、無線通信機器の認証方式として「ＷＰＡ（Ｗｉ−Ｆｉ  Ｐｒｏｔｅｃｔｅｄ  Ａｃｃｅｓｓ）」、暗号化方式を指定する暗号鍵として「ＡＥＳ（Ａｄｖａｎｃｅｄ  Ｅｎｃｒｙｐｔｉｏｎ  Ｓｔａｎｄａｒｄ）」が、それぞれ設定されているものとする。無線通信機器がアクセスポイント装置１４との間で無線通信を行うためには、ＳＳＩＤの設定と同様に、認証方式及び暗号鍵の設定をアクセスポイント装置１４における設定と一致させる必要がある。
【００２４】
端末装置１３は、本実施例では、端末識別情報として端末装置名「ＰＣ１３」を有し、無線通信機能を備えるパーソナルコンピュータからなり、図２に示されるように、無線ネットワーク１７に無線接続されている。図２に示される接続形態において、端末装置１３には、アクセスポイント装置１４と同一の無線接続設定がなされている。即ち、端末装置１３には、ＳＳＩＤとして「Ｆｌｏｏｒ１」、認証方式として「ＷＰＡ」、暗号鍵として「ＡＥＳ」が、それぞれ設定されている。また、端末装置１３には、アクセスポイント装置１４を介して印刷装置１１へ印刷データを送信して印刷処理を実行可能とすべく、印刷装置１１に対応するプリンタドライバが、予めインストールされている。
【００２５】
アクセスポイント装置１５は、有線通信機能及び無線通信機能を備えており、本実施例では、「会議室２」と示される設置場所に設置されている。アクセスポイント装置１５は、図２に示されるように、有線ネットワーク１６に接続され、また、インフラストラクチャモードで無線ネットワーク１８を構築している。このアクセスポイント装置１５は、例えば、有線ネットワーク１６に接続された端末装置１２から、印刷データを受信して、無線ネットワーク１８に無線接続された印刷装置へ、該印刷データを送信可能である。
また、アクセスポイント装置１５には、本実施例では、ＳＳＩＤ「Ｒｏｏｍ２」、認証方式「ＯＰＥＮ」、暗証鍵「ＷＥＰ（Ｗｉｒｅｄ  Ｅｑｕｉｖａｌｅｎｔ  Ｐｒｉｖａｃｙ）」が、それぞれ設定されているものとする。
【００２６】
端末装置１９は、本実施例では、端末識別情報として端末装置名「ＰＣ１９」を有し、無線通信機能を備えるパーソナルコンピュータからなり、図２に示されるように、無線ネットワーク１８に無線接続されている。図２に示される接続形態において、端末装置１９には、アクセスポイント装置１５と同一の無線接続設定がなされている。即ち、端末装置１９には、ＳＳＩＤとして「Ｒｏｏｍ２」、認証方式として「ＯＰＥＮ」、暗号鍵として「ＷＥＰ」が、それぞれ設定されている。また、端末装置１９には、アクセスポイント装置１５を介して印刷装置１１へ印刷データを送信して印刷処理を実行可能とすべく、印刷装置１１に対応するプリンタドライバが、予めインストールされている。
【００２７】
印刷装置１１は、本実施例では、印刷装置名「プリンタＡ」を有し、無線通信機能を備えるプリンタからなる。この印刷装置１１は、通常、アクセスポイント装置１４が設置される設置場所「１階」に設置され、図２に示されるように、無線ネットワーク１７を介してアクセスポイント装置１４に無線接続されている。
【００２８】
また、印刷装置１１は、図２に示される通常の設置場所から他の場所に移動させて利用することも可能である。
図３は、本発明の実施例１に係る印刷処理システムの接続形態の一例を示す説明図（その２）である。
図３に示される接続形態において、印刷装置１１は、通常の設置場所「１階」から他の場所「会議室２」に一時的に移動され、「会議室２」に設置されているアクセスポイント装置１５に、無線ネットワーク１８を介して無線接続されている。
【００２９】
図１は、本発明の実施例１に係る印刷装置の構成を示すブロック図である。
印刷装置１１は、図１に示されるように、表示入力部２７、通信部２８、印刷データ記憶部２９、読出部３０、ＳＳＩＤ取得部３１、格納部３２、判断部３３、実行部３４、削除部３５及び印刷制御部３６を備えている。
【００３０】
表示入力部２７は、例えば操作パネルからなり、オペレータに画面を表示して、情報を選択或いは入力させるために使用される。表示入力部２７は、例えば、後述する格納部３２への許可端末装置名の登録のための登録画面を表示して、各種登録情報を入力し、印刷制御部３６へ送る。また、無線接続設定を変更するための無線接続設定画面（後述）を表示して、各種設定情報を入力し、印刷制御部３６へ送る。
【００３１】
通信部２８は、印刷データを受信する受信部及び停止通知信号（後述）を送信する送信部としての機能を有し、例えば、図２に示される接続形態において、端末装置１２から有線ネットワーク１６を介して送信された印刷データや、端末装置１３から無線ネットワーク１７を介して送信された印刷データを、アクセスポイント装置１４から無線ネットワーク１７を介して受信する。この接続形態において、通信部２８には、アクセスポイント装置１４と同一の無線接続設定がなされている。即ち、通信部２８には、接続形態を示す接続形態情報としてのＳＳＩＤ「Ｆｌｏｏｒ１」と、認証方式「ＷＰＡ」及び暗号鍵「ＡＥＳ」とが、それぞれ設定されている。
【００３２】
また、通信部２８は、図３に示される接続形態において、無線ネットワーク１８を介してアクセスポイント装置１５から印刷データを受信可能となっている。この接続形態において、通信部２８には、アクセスポイント装置１５と同一の無線接続設定がなされている。即ち、通信部２８には、ＳＳＩＤ「Ｒｏｏｍ２」、認証方式「ＯＰＥＮ」及び暗号鍵「ＷＥＰ」が、それぞれ設定されている。
【００３３】
印刷データ記憶部２９は、通信部２８により受信された印刷データを一時的に記憶する。
【００３４】
読出部３０は、印刷データ記憶部２９に記憶されている印刷データから、端末識別情報としての端末装置名を読み出して、判断部３３に通知する機能を有する。
【００３５】
ＳＳＩＤ取得部３１は、通信部２８の接続形態を示す接続形態情報として、設定されているＳＳＩＤを取得し、判断部３３に通知する機能を有する。
【００３６】
格納部３２には、印刷処理を許可する端末装置、即ち許可端末装置の端末装置名が、許可端末装置名として登録されている。
【００３７】
図５は、実施例１における格納部の構成を示す図である。
格納部３２には、図５に示されるように、接続形態情報としてのＳＳＩＤに対応して、認証方式項目及び暗号鍵項目が設けられ、各ＳＳＩＤに対応して通信部２８に設定される認証方式及び暗号鍵に関する情報が、それぞれ格納されている。
【００３８】
格納部３２には、更に、許可端末装置名項目及び表示情報項目が、各ＳＳＩＤに対応して設けられている。
許可端末装置名項目には、各許可端末装置の端末装置名が、許可端末装置名として格納されている。
表示情報項目には、表示入力部２７に表示するための表示情報が格納されている。この表示情報は、例えば、登録画面や無線接続設定画面において、各ＳＳＩＤを示す情報として表示される。
【００３９】
例えば、図５に示される格納部３２には、ＳＳＩＤ「Ｆｌｏｏｒ１」に対応して、認証方式「ＷＰＡ」、暗号鍵「ＡＥＳ」、許可端末装置名「ＰＣ１２、ＰＣ１３」及び表示情報「１階」が、それぞれ格納されている。また、ＳＳＩＤ「Ｒｏｏｍ２」に対応して、認証方式「ＯＰＥＮ」、暗号鍵「ＷＥＰ」、許可端末装置名「ＰＣ１９」及び表示情報「会議室２」が、それぞれ格納されている。
【００４０】
判断部３３は、ＳＳＩＤ取得部３１から通知されたＳＳＩＤに基づいて、格納部３２を検索し、対応して格納されている許可端末装置名をひとつずつ読み出す。そして、判断部３３は、該許可端末装置名と読出部３０から通知された端末装置名とが一致するか否かを判断し、判断結果を印刷制御部３６に通知する。
【００４１】
実行部３４は、印刷データ記憶部２９に記憶されている印刷データに基づいて、印刷処理を実行する。
【００４２】
削除部３５は、印刷データ記憶部２９に記憶されている印刷データを削除する。
【００４３】
印刷制御部３６は、上記した各部２７〜３５を制御する機能を有する。また、印刷制御部３６は、判断部３３による判断結果に基づいて、印刷処理の続行或いは停止を判断し、停止すると判断した場合、停止通知信号を生成する。
【００４４】
図６は、実施例１の印刷装置の構成を具体的に示す機能ブロック図である。
印刷装置１１は、図６に示されるように、コントローラ部３８、エンジン部３９及び操作部４０を備えている。これら各部は、図１で示された各部を構成すると共に、他の機能を有している。
【００４５】
コントローラ部３８は、ＣＰＵ４１、ＲＯＭ４２、ＲＡＭ４３、フラッシュＲＯＭ４４、エンジンＩ／Ｆ４５及び無線ＬＡＮ制御部４６を備え、図１に示される通信部２８、印刷データ記憶部２９、読出部３０、ＳＳＩＤ取得部３１、格納部３２、判断部３３、削除部３５及び印刷制御部３６の各部を構成している。
【００４６】
ＲＯＭ４２は、各種のプログラムやデータを記憶し、ＣＰＵ４１は、ＲＯＭ４２内に格納されているプログラムを実行してデータを処理する。ＲＡＭ４３は、ＣＰＵ４１におけるプログラム実行時に使用されるメモリである。フラッシュＲＯＭ４４は、不揮発性メモリからなり、無線接続や許可端末装置に関する各種設定情報を記憶する。
【００４７】
無線ＬＡＮ制御部４６には、アンテナ４７が接続され、無線ネットワークを介して印刷データを受信し、ＲＡＭ４３に格納する。
エンジンＩ／Ｆ４５は、ＣＰＵ４１によりＲＡＭ４３から読み出され、イメージデータに変換された印刷データを、エンジン部３９へ送る。
【００４８】
エンジン部３９は、実行部３４を構成し、エンジンＩ／Ｆ４５から送られた印刷データの印刷媒体への出力処理を実行する。
【００４９】
操作部４０は、表示入力部２７を構成し、各種情報の入力や表示を行う。
【００５０】
次に、本実施例の印刷処理システム１０の動作について、図に沿って説明する。
【００５１】
まず、印刷装置１１において、無線接続設定を行う場合の処理の流れについて、説明する。
図７は、本発明に係る印刷装置における無線接続設定動作を示すフローチャートである。
【００５２】
印刷装置１１が移動されて、無線接続されていたアクセスポイント装置と通信不可能になった場合、或いは、オペレータの操作により表示入力部２７から無線接続設定が指示された場合、印刷制御部３６は、格納部３２から各ＳＳＩＤに対応する表示情報を読み出して、表示入力部２７に、該表示情報を含む無線接続設定画面を表示させる（ステップＳ１０１）。
【００５３】
図８は、無線接続設定画面の表示例を示す説明図である。
無線接続設定画面４８には、図８に示されるように、各ＳＳＩＤに対応する表示情報が、該ＳＳＩＤを選択するための選択ボタンと共に表示されている。例えば、図８に示される無線接続設定画面４８には、表示情報「１階」及び「会議室２」が、対応する選択ボタンと共に表示されている。また、無線接続設定画面４８は、選択を確定して次の処理に進むための「ＯＫ」ボタンを有している。
【００５４】
オペレータが、表示入力部２７を介して何れかの選択ボタンを選択した後、「ＯＫ」ボタンを押下すると、表示入力部２７は、該選択に基づいて、対応するＳＳＩＤを入力する（ステップＳ１０２）。例えば、印刷装置１１が「会議室２」に一時的に移動された場合、オペレータは表示入力部２７を操作して、「会議室２」に対応する選択ボタンを選択した後、「ＯＫ」ボタンを押下する。これを受けて、表示入力部２７は、ＳＳＩＤ「Ｒｏｏｍ２」を入力して、印刷制御部３６へ送る。
【００５５】
続いて、印刷制御部３６は、入力されたＳＳＩＤに対応する認証方式「ＯＰＥＮ」及び暗号鍵「ＷＥＰ」を格納部３２から読み出して、通信部２８にこれらの無線接続設定を行う（ステップＳ２０３）また、通信部２８は、入力されたＳＳＩＤに対応するアクセスポイント装置１５を無線検索し、該アクセスポイント装置１５との無線接続を開始する。そして、印刷制御部３６は、表示入力部２７による無線接続設定画面４８の表示を終了させ、印刷装置１１における無線接続設定処理は終了する。
【００５６】
上記のように、印刷装置１１の初期設定時や移動時、移動先から通常の設置場所に戻った時等に、無線接続設定が実施され、印刷装置１１の接続形態情報としてのＳＳＩＤが変更される。
【００５７】
次に、印刷装置１１において、許可端末装置名の登録を行う場合の処理の流れについて、説明する。
図９は、本発明に係る印刷装置における登録動作を示すフローチャートである。
【００５８】
オペレータが、表示入力部２７を介して、例えば許可端末装置名の登録処理のための認証番号を入力すると、該入力を受けた印刷制御部３６は、格納部３２から各ＳＳＩＤに対応する表示情報を読み出す。そして、印刷制御部３６は、表示入力部２７を制御して、読み出された表示情報を含む登録画面４９ａを表示させる（ステップＳ２０１）。
【００５９】
図１０は、登録画面の表示例を示す説明図である。
登録画面４９ａには、図１０（ａ）に示されるように、各ＳＳＩＤに対応する表示情報が、該ＳＳＩＤを選択するための選択ボタンと共に表示されている。例えば、図１０（ａ）に示される登録画面４９ａには、表示情報「１階」及び「会議室２」が、対応する選択ボタンと共に表示されている。
【００６０】
オペレータが、表示入力部２７を介して何れかの選択ボタンを選択すると、表示入力部２７は、該選択に基づいて、対応するＳＳＩＤを入力する（ステップＳ２０２）。例えば、「１階」に対応する選択ボタンが選択されると、表示入力部２７は、ＳＳＩＤ「Ｆｌｏｏｒ１」を入力する。また、「会議室２」に対応する選択ボタンが選択されると、表示入力部２７は、ＳＳＩＤ「Ｒｏｏｍ２」を入力する。
【００６１】
続いて、印刷制御部３６は、入力されたＳＳＩＤに対応する許可端末装置名を格納部３２から読み出して、該許可端末装置名を含む登録画面４９ｂを表示する（ステップＳ２０３）。
【００６２】
登録画面４９ｂには、図１０（ｂ）に示されるように、端末装置名を入力するための入力領域と、登録済の許可端末装置名を表示するための表示領域とが設けられている。表示領域には、印刷装置１１の格納部３２から読み出された許可端末装置名が、表示される。
また、登録画面４９ｂは、入力領域に入力された端末装置名を許可端末装置名として追加するための「追加」ボタンと、表示領域において選択された許可端末装置名を削除するための「削除」ボタンと、登録処理を終了するための「終了」ボタンとを有している。
【００６３】
登録画面４９ｂにおいて、入力領域に端末装置名が入力され、「追加」ボタンが押下される（ステップＳ２０４）と、表示入力部２７は、入力された端末装置名を、許可端末装置名として表示領域に追加して表示させる（ステップＳ２０５）。
【００６４】
また、登録画面４９ｂにおいて、表示領域に表示された何れかの許可端末装置名が選択され、「削除」ボタンが押下される（ステップＳ２０６）と、表示入力部２７は、選択された許可端末装置名を表示領域から削除する（ステップＳ２０７）。
【００６５】
そして、登録画面４９ｂにおいて、「終了」ボタンが押下される（ステップＳ２０８）と、表示入力部２７は、登録要求を示す登録要求情報を入力する。そして、表示入力部２７は、登録画面４９ａにおいて選択されたＳＳＩＤと、登録画面４９ｂの表示領域に表示された許可端末装置名とを入力して、登録要求情報と共に印刷制御部３６へ送る。登録要求情報を受けた印刷制御部３６は、格納部３２に対して更新処理を実施する。印刷制御部３６は、入力されたＳＳＩＤに対応する許可端末装置名項目を初期化した後、入力された許可端末装置名を格納させて登録する（ステップＳ２０９）。そして、印刷制御部３６は、表示入力部２７による登録画面４９ｂの表示を終了させ、登録処理は終了する。
【００６６】
上記のように、印刷装置１１において印刷処理を許可する端末装置名を、許可端末装置名として、接続形態情報としてのＳＳＩＤに対応させて登録できる。
【００６７】
続いて、端末装置１２から印刷装置１１へ印刷データが送信される場合の処理の流れについて、説明する。
図１１は、端末装置における印刷データ送信動作を示すフローチャートである。
【００６８】
なお、本実施例では、端末装置１２の記憶部２３には、印刷装置１１に対応するプリンタドライバが記憶されており、また、印刷データの送信に用いる通信経路情報として、印刷装置１１が「１階」に設置されている場合に対応する通信経路、即ちアクセスポイント装置１４を介する通信経路情報と、印刷装置１１が「会議室２」に設置されている場合に対応する通信経路、即ちアクセスポイント装置１５を介する通信経路情報とが、それぞれ記憶されているものとする。
【００６９】
端末装置１２において、選択入力部２２が印刷要求情報を入力して、端末制御部２６へ送る（ステップＳ３０１）と、端末制御部２６は、表示部２１を制御して、出力先として指定する印刷装置をユーザに選択させるための出力先選択画面を表示させる（ステップＳ３０２）。
【００７０】
図１２は、出力先選択画面の表示例を示す説明図である。
出力先選択画面には、図１２に示されるように、出力先として指定可能な印刷装置として、「１階」に設置されている印刷装置１１と、「会議室２」に設置されている印刷装置１１とが、それぞれ表示されている。
【００７１】
出力先選択画面（図１２）において、ユーザが選択入力部２２を操作して何れかを選択すると、選択入力部２２は、該選択に基づいて、印刷装置１１の印刷装置名「プリンタＡ」及び対応する通信経路情報を含む出力先指定情報を入力して、端末制御部２６へ送る（ステップＳ３０３）。
【００７２】
続いて、端末制御部２６は、生成部２４を制御して、端末装置１２の端末装置名「ＰＣ１２」を含む印刷データを生成させる（ステップＳ３０４）。
【００７３】
そして、端末制御部２６は、端末通信部２５を制御して、出力先指定情報に基づいて、生成された印刷データの送信を実行させる。端末通信部２５は、出力先指定情報に含まれる通信経路情報に基づいて、対応するアクセスポイント装置へ指定印刷装置名「プリンタＡ」と印刷データとを送信する（ステップＳ３０５）。
【００７４】
例えば、出力先選択画面において、「１階」に設置されている印刷装置１１が選択された場合、端末通信部２５は、指定印刷装置名「プリンタＡ」及び印刷データをアクセスポイント装置１４へ送信する。また、出力先選択画面において、「会議室２」に設置されている印刷装置１１が選択された場合、端末通信部２５は、指定印刷装置名「プリンタＡ」及び印刷データをアクセスポイント装置１５へ送信する。これにより、端末装置１２における印刷データ送信処理が終了する。
【００７５】
以上のように、端末装置１２において印刷データが生成され、指定された印刷装置及び通信経路に基づいて、対応するアクセスポイント装置へ印刷データが送信される。
【００７６】
続いて、アクセスポイント装置が端末装置１２から指定印刷装置名「プリンタＡ」及び印刷データを受信すると、該指定印刷装置名「プリンタＡ」に基づいて、受信した印刷データを印刷装置１１へ送信する。その際、アクセスポイント装置は、印刷装置１１の認証及び印刷データの暗号化を行う。
【００７７】
次に、印刷装置１１が印刷データを受信した場合の処理の流れについて、説明する。
図１３は、本発明に係る印刷装置の実施例１における印刷動作を示すフローチャートである。
【００７８】
まず、印刷装置１１が通常の設置場所「１階」に設置されているとき、即ち印刷処理システム１０が図２に示される接続形態をとるときに、印刷装置１１が、端末装置１２により生成された印刷データを受信した場合について、説明する。
なお、印刷装置１１の通信部２８には、図７及び図８で説明したように、無線ネットワーク１７を介してアクセスポイント装置１４から印刷データを受信すべくＳＳＩＤ「Ｆｌｏｏｒ１」、認証方式「ＷＰＡ」及び暗号鍵「ＡＥＳ」が、予め設定されている。
【００７９】
印刷装置１１において、通信部２８がアクセスポイント装置１４から印刷データを受信すると、通信部２８は、該印刷データの復号化を行う。復号化された印刷データは、印刷データ記憶部２９に記憶される（ステップＳ４０１）。
【００８０】
続いて、印刷制御部３６は、読出部３０を制御して、印刷データ記憶部２９に記憶されている印刷データからの端末装置名の読み出しを実行させる。読出部３０は、印刷データに含まれる端末装置１２の端末装置名「ＰＣ１２」を読み出して、判断部３３に通知する（ステップＳ４０２）。
【００８１】
また、印刷制御部３６は、ＳＳＩＤ取得部３１を制御して、通信部２８からＳＳＩＤを取得させる。ＳＳＩＤ取得部３１は、ＳＳＩＤ「Ｆｌｏｏｒ１」を取得して、判断部３３に通知する（ステップＳ４０３）。
【００８２】
端末装置名「ＰＣ１２」及びＳＳＩＤ「Ｆｌｏｏｒ１」を通知された判断部３３は、該ＳＳＩＤに基づいて、格納部３２を検索する。そして、対応して格納されている許可端末装置名を読み出して、通知された端末装置名と一致するか否かを判断する（ステップＳ４０４）。格納部３２には、許可端末装置名「ＰＣ１２」及び「ＰＣ１３」が格納されているので、判断部３３は、読出部３０から通知された端末装置名「ＰＣ１２」が、格納部３２から読み出された許可端末装置名のひとつに一致すると判断する。
【００８３】
一致すると判断される（ステップＳ４０４）と、印刷制御部３６は、実行部３４を制御して、印刷処理を実行させる。実行部３４は、印刷データ記憶部２９に記憶されている印刷データに基づいて、印刷処理を実行する（ステップＳ４０５）。これにより、印刷装置１１における印刷処理は終了する。
【００８４】
上記のように、印刷装置１１において、印刷データから読み出された端末装置名が、格納部３２に登録されている許可端末装置名に一致するか否かに基づいて、印刷処理の可否が判断される。
【００８５】
次に、印刷装置１１が「会議室２」に移動された後、即ち、印刷処理システム１０が図３に示される接続形態をとるときに、端末装置１２により生成された印刷データを受信した場合について、説明する。
なお、印刷装置１１は、通常の設置場所「１階」から「会議室２」に移動された後、図７及び図８で説明したように、無線ネットワーク１８を介してアクセスポイント装置１５と無線接続すべく無線接続設定が変更され、通信部２８には、ＳＳＩＤ「Ｒｏｏｍ２」、認証方式「ＯＰＥＮ」及び暗号鍵「ＷＥＰ」が、設定されている。
【００８６】
印刷装置１１において、通信部２８がアクセスポイント装置１５から印刷データを受信すると、印刷制御部３６は、通信部２８により該印刷データを復号化し、印刷データ記憶部２９に記憶させる（ステップＳ４０１）。
【００８７】
続いて、読出部３０が、印刷データ記憶部２９に記憶されている印刷データから、端末装置名「ＰＣ１２」を読み出して、判断部３３に通知する（ステップＳ４０２）。
【００８８】
また、ＳＳＩＤ取得部３１が、通信部２８からＳＳＩＤ「Ｒｏｏｍ２」を取得して、判断部３３に通知する（ステップＳ４０３）。
【００８９】
端末装置名「ＰＣ１２」及びＳＳＩＤ「Ｒｏｏｍ２」を通知された判断部３３は、該ＳＳＩＤに基づいて格納部３２を検索し、対応して格納されている許可端末装置名「ＰＣ１９」を読み出す。そして、読み出された許可端末装置名「ＰＣ１９」と読出部３０から通知された端末装置名「ＰＣ１２」とを比較して、一致しないと判断する（ステップＳ４０４）。
【００９０】
判断部３３により一致しないと判断される（ステップＳ４０４）と、印刷制御部３６は、印刷処理の停止を通知するための停止通知信号を生成する。そして、印刷制御部３６は、生成した停止通知信号を、端末装置名「ＰＣ１２」と共に、通信部２８によりアクセスポイント装置１５へ送信する（ステップＳ４０６）。
【００９１】
続いて、印刷制御部３６は、削除部３５により、印刷データ記憶部２９から印刷データを削除する（ステップＳ４０７）。これにより、印刷装置１１における印刷処理は終了する。
【００９２】
上記のように、印刷装置１１が通常の設置場所から一時的に移動された場合、接続形態情報としてのＳＳＩＤの設定を変更すると、自動的に許可端末装置の設定が変更されるので、通常の設置場所において印刷装置１１を利用していた端末装置１２による印刷処理の実行が不可となる。
【００９３】
なお、アクセスポイント装置１５は、印刷装置１１から印刷停止信号及び端末装置名「ＰＣ１２」を受信すると、該印刷停止信号を端末装置１２へ送信する。端末装置１２において、端末通信部２５が印刷停止信号を受信すると、印刷制御部２６の制御により、表示部２１に印刷停止を通知するための停止通知画面が表示される。
【００９４】
以上のように、本実施例の印刷処理システムでは、印刷装置において、印刷処理が許可される許可端末装置の端末装置名が、許可端末装置名として、各ＳＳＩＤに対応して予め登録されるので、印刷装置が一時的に移動されて、ＳＳＩＤの設定に変更が生じると、許可端末装置の設定も自動的に変更される。したがって、意図しない端末装置からの印刷実行が防止されるので、無駄な印刷処理によるコストや手間が削減される。また、印刷装置が通常の設置場所に戻された場合も、許可端末装置の設定を元に戻す手間が不要なので、利便性が向上される。
【００９５】
なお、本実施例では、印刷装置において許可端末装置名を登録し、該登録情報に基づいて判断を行う例を示したが、アクセスポイント装置に上記判断機能を持たせることも可能である。即ち、アクセスポイント装置１５（図２、３）に、許可端末装置名或いは許可端末装置のＭＡＣアドレスを登録しておき、該登録情報に基づいて判断を行う方法や、各端末装置において、端末装置名に代えて端末装置のＳＳＩＤを印刷データに付加し、アクセスポイント装置１５において、ＳＳＩＤ「Ｒｏｏｍ２」が付加された印刷データのみを有効とする方法が考えられる。
【００９６】
また、本実施例では、許可端末装置の端末識別情報として、端末装置名が採用されたが、端末装置名に代えて、ＭＡＣアドレスやＩＰアドレス、ユーザ名等を採用することもできる。
【００９７】
また、本実施例では、印刷装置における許可端末装置名の登録は、表示入力部を介して行われたが、例えば、印刷装置に接続される端末装置において、許可端末装置名を入力して登録することも可能である。
【実施例２】
【００９８】
図１４は、本発明の実施例２に係る印刷処理システムの接続形態の一例を示す図（その１）であり、図１５は、本発明の実施例２に係る印刷処理システムの接続形態の一例を示す図（その２）である。
本実施例の印刷処理システムでは、通常の設置場所において印刷装置を有線ネットワークに接続する構成と、印刷装置の有線接続の有無に応じて許可端末装置の設定が変更される構成が、実施例１とは異なる。
なお、本実施例において、実施例１と同様な構成及び動作は同一の符号で示し、これらについての説明を省略する。
【００９９】
印刷処理システム５０は、図１４及び図１５に示されるように、印刷装置５１と、端末装置１２、１３、１９と、アクセスポイント装置１４、１５とを含んで構成される。
【０１００】
印刷装置５１は、本実施例では、装置識別情報として印刷装置名「プリンタＢ」を有し、有線通信機能及び無線通信機能を備えるプリンタからなる。この印刷装置５１は、図１４に示される接続形態において、通常の設置場所「１階」に設置され、有線ネットワーク１６を介してアクセスポイント装置１４に有線接続されると共に、アクセスポイント装置１４によりインフラストラクチャモードで構築された無線ネットワーク１７に無線接続されている。
また、図１５に示される接続形態において、印刷装置５１は、設置場所「会議室２」に移動され、アクセスポイント装置１５によりインフラストラクチャモードで構築された無線ネットワーク１８に無線接続されている。
【０１０１】
図１６は、本発明の実施例２に係る印刷装置の構成を示すブロック図である。
印刷装置５１は、図１６に示されるように、表示入力部２７、通信部５２、印刷データ記憶部２９、読出部３０、接続情報取得部５３、格納部５４、判断部５５、実行部３４、削除部３５及び印刷制御部５６を備えている。
【０１０２】
通信部５２は、印刷データを受信する受信部及び停止通知信号を送信する送信部としての機能を有し、有線通信機能及び無線通信機能を備えている。図１４に示される接続形態において、印刷装置５１は有線ネットワーク１６に有線接続されるが、印刷データは、アクセスポイント装置１４から無線ネットワーク１７を介して受信されるべく設定されているものとする。即ち、この接続形態において、通信部５２にはアクセスポイント装置１４と同一のＳＳＩＤ「Ｆｌｏｏｒ１」、認証方式「ＷＰＡ」及び暗号鍵「ＡＥＳ」が、それぞれ設定されている。
【０１０３】
また、通信部５２は、図１５に示される接続形態において、無線ネットワーク１８を介してアクセスポイント装置１５から印刷データを受信可能となっている。この接続形態において、通信部５２には、アクセスポイント装置１５と同一のＳＳＩＤ「Ｒｏｏｍ２」、認証方式「ＯＰＥＮ」及び暗号鍵「ＷＥＰ」が、それぞれ設定されている。
【０１０４】
接続情報取得部５３は、印刷装置５１が有線接続されているか否かを示す有線接続有無情報を取得し、判断部５５に通知する機能を有する。印刷装置５１が有線接続されている場合、通信部５２は、有線ネットワーク１６からパケットを受信している。接続情報取得部５３は、通信部５２における受信パケットの有無に基づいて、有線接続有無情報「有」又は「無」を取得する。
【０１０５】
格納部５４には、許可端末装置名が登録されている。
【０１０６】
図１７は、実施例２における格納部の構成を示す図である。
格納部５４には、図１７に示されるように、有線接続有無情報に対応して、許可端末装置名が格納される許可端末装置名項目が設けられている。
【０１０７】
例えば、図１７に示される格納部５４には、有線接続有無情報「有」に対応して、許可端末装置名「ＰＣ１２、ＰＣ１３」が格納されている。また、有線接続有無情報「無」に対応して、許可端末装置名「ＰＣ１９」が格納されている。
【０１０８】
判断部５５は、接続情報取得部５３から通知された有線接続有無情報に基づいて、格納部５４を検索し、対応して格納されている許可端末装置名をひとつずつ読み出す。そして、判断部５５は、該許可端末装置名と読出部３０から通知された端末装置名とが一致するか否かを判断し、判断結果を印刷制御部５６に通知する。
【０１０９】
印刷制御部５６は、印刷装置５１の各部を制御する機能を有する。また、印刷制御部５６は、判断部５５による判断結果に基づいて、印刷処理の続行或いは停止を判断し、停止すると判断した場合、停止通知信号を生成する。
【０１１０】
図１８は、実施例２の印刷装置の構成を具体的に示す機能ブロック図である。
印刷装置５１は、図１８に示されるように、コントローラ部５７、エンジン部３９及び操作部４０を備え、これら各部が、図１６で示された各部を構成すると共に、他の機能を有している。
【０１１１】
コントローラ部５７は、ＣＰＵ４１、ＲＯＭ４２、ＲＡＭ４３、フラッシュＲＯＭ４４、エンジンＩ／Ｆ４５、無線ＬＡＮ制御部４６及び有線ＬＡＮ制御部５８を備え、図１６に示される通信部５２、印刷データ記憶部２９、読出部３０、接続情報取得部５３、格納部５４、判断部５５、削除部３５及び印刷制御部５６の各部を構成している。
【０１１２】
有線ＬＡＮ制御部５８は、有線ネットワーク１６を介して通信を行う。例えば、有線ＬＡＮ制御部５８は、有線接続設定されている場合に、有線ネットワーク１６から印刷データを受信して、ＲＡＭ４３に格納する。
【０１１３】
次に、本発明の印刷処理システム５０の動作について、説明する。
端末装置における印刷データ送信処理の流れについては、実施例１（図１１）と同様なので、説明を省略する。
ここでは、印刷装置５１が印刷データを受信した場合の処理の流れについて、図に沿って説明する。
図１９は、本発明に係る印刷装置の実施例２における印刷動作を示すフローチャートである。
【０１１４】
まず、印刷装置５１が通常の設置場所「１階」に設置されているとき、即ち印刷処理システム５０が図１４に示される接続形態をとるときに、印刷装置５１が、端末装置１２により生成された印刷データを受信した場合について、説明する。
なお、印刷装置５１は有線ネットワーク１６に有線接続されるが、通信部５２には、無線ネットワーク１７を介してアクセスポイント装置１４から印刷データを受信すべくＳＳＩＤ「Ｆｌｏｏｒ１」、認証方式「ＷＰＡ」及び暗号鍵「ＡＥＳ」が、予め設定されている。
【０１１５】
印刷装置５１において、通信部５２がアクセスポイント装置１４から印刷データを受信すると、該印刷データは印刷データ記憶部２９に記憶される（ステップＳ４０１）。
【０１１６】
続いて、印刷制御部５６の制御により、読出部３０が、印刷データ記憶部２９に記憶されている印刷データから端末装置名「ＰＣ１２」を読み出して、判断部５５に通知する（ステップＳ４０２）。
【０１１７】
また、印刷制御部５６は、接続情報取得部５３を制御して、通信部５２における受信パケットの有無に基づいて、有線接続有無情報を取得させる（ステップＳ５０１）。接続情報取得部５３は、通信部５２においてパケットが受信されていることから、有線接続有無情報「有」を取得し、判断部５５に通知する。
【０１１８】
端末装置名「ＰＣ１２」及び有線接続有無情報「有」を通知された判断部５５は、格納部５４から、該有線接続有無情報「有」に対応して格納されている許可端末装置名を読み出して、通知された端末装置名と一致するか否かを判断する（ステップＳ５０２）。格納部５４には、許可端末装置名「ＰＣ１２」及び「ＰＣ１３」が格納されているので、判断部５５は、読出部３０から通知された端末装置名「ＰＣ１２」が、格納部５４から読み出された許可端末装置名のひとつに一致すると判断する。
【０１１９】
一致すると判断される（ステップＳ５０２）と、印刷制御部５６の制御により、実行部３４が、印刷データ記憶部２９に記憶されている印刷データに基づいて、印刷処理を実行する（ステップＳ４０５）。これにより、印刷装置５１における印刷処理は終了する。
【０１２０】
次に、印刷装置５１が「会議室２」に移動されたとき、即ち印刷処理システム５０が図１５に示される接続形態をとるときに、端末装置１２により生成された印刷データを受信した場合について、説明する。
なお、印刷装置５１は、通常の設置場所「１階」から「会議室２」に移動された後、実施例１の図７及び図８で説明したように、無線ネットワーク１８を介してアクセスポイント装置１５と無線接続すべく無線接続設定が変更され、通信部５２には、ＳＳＩＤ「Ｒｏｏｍ２」、認証方式「ＯＰＥＮ」及び暗号鍵「ＷＥＰ」が、設定されている。
【０１２１】
印刷装置５１において、通信部５２がアクセスポイント装置１５から印刷データを受信すると、該印刷データは印刷データ記憶部２９に記憶される（ステップＳ４０１）。
【０１２２】
続いて、読出部３０が、印刷データ記憶部２９に記憶されている印刷データから、端末装置名「ＰＣ１２」を読み出して、判断部５５に通知する（ステップＳ４０２）。
【０１２３】
また、接続情報取得部５３が、通信部５２においてパケットが受信されていないことから、有線接続有無情報「無」を取得し、判断部５５に通知する（ステップＳ５０１）。
【０１２４】
端末装置名「ＰＣ１２」及び有線接続有無情報「無」を通知された判断部５５は、格納部５４から、該有線接続有無情報「無」に対応して格納されている許可端末装置名「ＰＣ１９」を読み出して、通知された端末装置名「ＰＣ１２」と一致しないと判断する（ステップＳ５０２）。
【０１２５】
一致しないと判断される（ステップＳ５０２）と、印刷制御部５６は、停止通知信号を生成して、端末装置名「ＰＣ１２」と共に、通信部５２によりアクセスポイント装置１５へ送信する（ステップＳ４０６）。
【０１２６】
続いて、印刷制御部５６は、削除部３５により、印刷データ記憶部２９から印刷データを削除する（ステップＳ４０７）。これにより、印刷装置５１における印刷処理は終了する。
【０１２７】
なお、アクセスポイント装置１５は、印刷装置５１から印刷停止信号及び端末装置名「ＰＣ１２」を受信すると、該印刷停止信号を端末装置１２へ送信する。そして、印刷停止信号を受信した端末装置１２において、停止通知画面が表示され、印刷処理システム５０における印刷処理は終了する。
【０１２８】
以上のように、本実施例の印刷処理システムでは、印刷装置の有線接続の有無に対応して、許可端末装置名が登録されるので、接続形態の判断及び許可端末装置の設定変更が容易になる。
【０１２９】
なお、本実施例では、許可端末装置の端末識別情報として、端末装置名が採用されたが、端末装置名に代えて、ＭＡＣアドレスやＩＰアドレス、ユーザ名等を採用することもできる。
【実施例３】
【０１３０】
図２０は、本発明の実施例３に係る印刷処理システムの接続形態の一例を示す図（その１）であり、図２１は、本発明の実施例３に係る印刷処理システムの接続形態の一例を示す図（その２）である。
本実施例の印刷処理システムでは、印刷装置が有線接続される構成と、印刷装置のＩＰアドレスに応じて許可端末装置の設定が変更される構成が、実施例１及び２とは異なる。
なお、本実施例において、実施例１又は２と同様な構成及び動作は同一の符号で示し、これらについての説明を省略する。
【０１３１】
印刷処理システム７０は、図２０及び図２１に示されるように、印刷装置７１と、端末装置１３、７２、７４と、アクセスポイント装置１４と、ＩＰルータ７５とを含んで構成される。
【０１３２】
ＩＰルータ７５は、基幹ネットワーク７６に接続されており、このＩＰルータ７５により、各ネットワークのＩＰアドレスが設定される。本実施例の印刷処理システム７０では、ＩＰルータ７５には有線ネットワーク７７及び有線ネットワーク７８が接続されている。
【０１３３】
図２０に示される接続形態において、端末装置７２は、有線ネットワーク７７を介して印刷装置７１に有線接続されている。また、端末装置１３は、アクセスポイント装置１４によりインフラストラクチャモードで構築された無線ネットワーク１７に無線接続され、該アクセスポイント装置１４を介して有線ネットワーク７７及び印刷装置７１に接続されている。これにより、有線ネットワーク７７に接続された端末装置７２及び無線ネットワーク１７に接続された端末装置１３は、何れも、有線ネットワーク７７を介して印刷装置７１へ印刷データを送信して、該印刷装置７１により印刷処理を実行可能となっている。
【０１３４】
端末装置７２は、本実施例では、端末識別情報として端末装置名「ＰＣ７２」を有するパーソナルコンピュータからなり、図２０に示されるように、有線ネットワーク７７に有線接続されている。この端末装置７２は、図４に示されるように、表示部２１、選択入力部２２、記憶部２３、生成部２４、端末通信部２５及び端末制御部２６を備えている。
【０１３５】
本実施例の端末装置７２において、端末通信部２５は、印刷データを送信する端末送信部としての機能及び停止通知信号を受信する端末受信部としての機能を有し、選択入力部２２により入力された指定印刷装置名に基づいて、生成部２４により生成された印刷データを指定印刷装置へ送信する。
【０１３６】
有線ネットワーク７７のＩＰアドレスは、本実施例では、１９２．１６０．１００．ｘｘｘと設定される。ここで、ｘｘｘは０〜２５５の何れかの数値からなり、有線ネットワーク７７に接続される端末装置７２やアクセスポイント装置１４等の各通信機器に対して、個別に設定される。また、ＩＰアドレスにおける３番目の数値１００は、有線ネットワーク７７のセグメント情報を示している。
【０１３７】
図２１に示される接続形態において、端末装置７４は、有線ネットワーク７８を介して印刷装置７１に有線接続されている。これにより、端末装置７４は、有線ネットワーク７８を介して印刷装置７１へ印刷データを送信して、該印刷装置７１により印刷処理を実行可能となっている。
【０１３８】
端末装置７４は、本実施例では、端末識別情報として端末装置名「ＰＣ７４」を有するパーソナルコンピュータからなり、図２１に示されるように、有線ネットワーク７７に有線接続されている。
【０１３９】
有線ネットワーク７８のＩＰアドレスは、本実施例では、１９２．１６０．１０１．ｘｘｘと設定される。ここで、ｘｘｘは０〜２５５の何れかの数値からなり、有線ネットワーク７８に接続される端末装置７４等の各通信機器に対して、個別に設定される。また、ＩＰアドレスにおける３番目の数値１０１は、有線ネットワーク７８のセグメント情報を示している。
【０１４０】
更に、有線ネットワーク７７及び有線ネットワーク７８は、ＩＰルータ７５を介して相互に接続されている。そのため、例えば、図２０に示される接続形態において、有線ネットワーク７８に接続される端末装置７４から有線ネットワーク７７に接続される印刷装置７１へ、印刷データを送信可能であり、また、図２１に示される接続形態において、端末装置７２或いは端末装置１３から有線ネットワーク７８に接続される印刷装置７１へ、印刷データを送信可能である。
【０１４１】
印刷装置７１は、本実施例では、装置識別情報として印刷装置名「プリンタＣ」を有し、有線通信機能を備えるプリンタからなる。この印刷装置７１は、図２０に示される接続形態において、通常の設置場所「１階」に設置され、有線ネットワーク７７を介してアクセスポイント装置１４や端末装置７２に有線接続されている。
また、図２１に示される接続形態において、印刷装置７１は、設置場所「会議室２」に移動され、有線ネットワーク７８を介して端末装置７４に有線接続されている。
【０１４２】
図２２は、本発明の実施例３に係る印刷装置の構成を示すブロック図である。
印刷装置７１は、図２２に示されるように、表示入力部２７、通信部８１、印刷データ記憶部２９、読出部３０、ＩＰアドレス取得部８２、格納部８３、判断部８４、実行部３４、削除部３５及び印刷制御部８５を備えている。
【０１４３】
通信部８１は、印刷データを受信する受信部及び停止通知信号を送信する送信部としての機能を有し、有線通信機能を備えている。図２０に示される接続形態において、通信部８１は、有線ネットワーク７７を介して印刷データの受信を行う。本実施例では、印刷装置７１には、図２０に示される接続形態において、ＩＰアドレス「１９２．１６０．１００．７１」が割り当てられるものとする。
【０１４４】
また、通信部８１は、図２１に示される接続形態において、有線ネットワーク７８を介して印刷データの受信を行う。本実施例では、印刷装置７１には、図２１に示される接続形態において、ＩＰアドレス「１９２．１６０．１０１．７１」が割り当てられるものとする。
【０１４５】
ＩＰアドレス取得部８２は、印刷装置７１のＩＰアドレスを取得し、判断部８４に通知する機能を有する。
【０１４６】
格納部８３には、許可端末装置名が登録されている。
【０１４７】
図２３は、実施例３における格納部の構成を示す図である。
格納部８３には、図２３に示されるように、ＩＰアドレスに対応して、許可端末装置名が格納される許可端末装置名項目が設けられている。
【０１４８】
例えば、図２３に示される格納部８３には、ＩＰアドレス「１９２．１６０．１００．ｘｘｘ」に対応して、許可端末装置名「ＰＣ７２、ＰＣ１３」が格納されている。また、ＩＰアドレス「１９２．１６０．１０１．ｘｘｘ」に対応して、許可端末装置名「ＰＣ７４」が格納されている。
【０１４９】
判断部８４は、ＩＰアドレス取得部８２から通知されたＩＰアドレスに基づいて、格納部８３を検索し、対応して格納されている許可端末装置名をひとつずつ読み出す。本実施例では、判断部８４は、通知されたＩＰアドレスとセグメントが一致するＩＰアドレスを検索し、対応して格納されている許可端末装置名を読み出す。そして、判断部８４は、該許可端末装置名と読出部３０から通知された端末装置名とが一致するか否かを判断し、判断結果を印刷制御部８５に通知する。
【０１５０】
例えば、ＩＰアドレス「１９２．１６０．１００．７１」が通知されると、判断部８４は、該ＩＰアドレスとセグメントが一致するＩＰアドレス「１９２．１６０．１００．ｘｘｘ」に対応する許可端末装置名項目から、許可端末装置名「ＰＣ７２、ＰＣ１３」を読み出し、判断を行う。また、ＩＰアドレス「１９２．１６０．１０１．７１」が通知されると、判断部８４は、該ＩＰアドレスとセグメントが一致するＩＰアドレス「１９２．１６０．１０１．ｘｘｘ」に対応する許可端末装置名項目から、許可端末装置名「ＰＣ７４」を読み出し、判断を行う。
【０１５１】
印刷制御部８５は、印刷装置７１の各部を制御する機能を有する。また、印刷制御部８５は、判断部８４による判断結果に基づいて、印刷処理の続行或いは停止を判断し、停止すると判断した場合、停止通知信号を生成する。
【０１５２】
図２４は、実施例３の印刷装置の構成を具体的に示す機能ブロック図である。
印刷装置７１は、図２４に示されるように、コントローラ部８６、エンジン部３９及び操作部４０を備え、これら各部が、図２２で示された各部を構成すると共に、他の機能を有している。
【０１５３】
コントローラ部８６は、ＣＰＵ４１、ＲＯＭ４２、ＲＡＭ４３、フラッシュＲＯＭ４４、エンジンＩ／Ｆ４５及び有線ＬＡＮ制御部８７を備え、図１６に示される通信部８１、印刷データ記憶部２９、読出部３０、ＩＰアドレス取得部８２、格納部８３、判断部８４、削除部３５及び印刷制御部８５の各部を構成している。
【０１５４】
有線ＬＡＮ制御部８７は、有線ネットワーク７７或いは有線ネットワーク７８を介して、通信を行う。
【０１５５】
次に、本発明の印刷処理システム７０の動作について、図に沿って説明する。
ここでは、印刷装置７１が端末装置７２により生成された印刷データを受信した場合の処理の流れについて、図に沿って説明する。
図２５は、本発明に係る印刷装置の実施例３における印刷動作を示すフローチャートである。
【０１５６】
まず、印刷装置７１が通常の設置場所「１階」に設置されている場合、即ち、印刷処理システム７０が図２０に示される接続形態をとる場合について、説明する。
【０１５７】
印刷装置７１において、通信部８１が端末装置７２から印刷データを受信すると、該印刷データは印刷データ記憶部２９に記憶される（ステップＳ６０１）。
【０１５８】
次に、印刷制御部８５の制御により、読出部３０が、印刷データ記憶部２９に記憶されている印刷データから端末装置名「ＰＣ７２」を読み出して、判断部８４に通知する（ステップＳ４０２）。
【０１５９】
また、印刷制御部８５の制御により、ＩＰアドレス取得部８２が、印刷装置７１のＩＰアドレス「１７２．１６０．１００．７１」を取得し、判断部８４に通知する（ステップＳ６０２）。
【０１６０】
端末装置名「ＰＣ７２」及びＩＰアドレス「１７２．１６０．１００．７１」を通知された判断部８４は、格納部８３から、対応する許可端末装置名を読み出して、通知された端末装置名と一致するか否かを判断する（ステップＳ６０３）。格納部８３には、通知されたＩＰアドレスとセグメントが一致するＩＰアドレス「１７２．１６０．１００．ｘｘｘ」に対応して、許可端末装置名「ＰＣ７２」及び「ＰＣ１３」が格納されているので、判断部８４は、読出部３０から通知された端末装置名「ＰＣ７２」が、格納部８３から読み出された許可端末装置名のひとつに一致すると判断する。
【０１６１】
一致すると判断される（ステップＳ６０３）と、印刷制御部８５の制御により、実行部３４が、印刷データ記憶部２９に記憶されている印刷データに基づいて、印刷処理を実行する（ステップＳ４０５）。これにより、印刷装置７１における印刷処理は終了する。
【０１６２】
次に、印刷装置７１が「会議室２」に移動されたとき、即ち印刷処理システム７０が図２１に示される接続形態をとる場合に、端末装置７２により生成された印刷データを受信した場合の処理の流れについて、説明する。
【０１６３】
端末装置７２からＩＰルータ７５を介して送信された印刷データを、印刷装置７１の通信部８１が受信すると、印刷制御部８５は、該印刷データを印刷データ記憶部２９に記憶させる（ステップＳ６０１）。
【０１６４】
続いて、印刷制御部８５の制御により、読出部３０が、印刷データ記憶部２９に記憶されている印刷データから、端末装置名「ＰＣ７２」を読み出して、判断部８４に通知する（ステップＳ４０２）。
【０１６５】
また、ＩＰアドレス取得部８２が、印刷装置７１のＩＰアドレス「１７２．１６０．１０１．７１」を取得し、判断部８４に通知する（ステップＳ６０２）。
【０１６６】
端末装置名「ＰＣ７２」及びＩＰアドレス「１７２．１６０．１０１．７１」を通知された判断部８４は、格納部８３から、対応する許可端末装置名を読み出して、通知された端末装置名と一致するか否かを判断する（ステップＳ６０３）。格納部８３には、通知されたＩＰアドレスとセグメントが一致するＩＰアドレス「１７２．１６０．１０１．ｘｘｘ」に対応して、許可端末装置名「ＰＣ７４」のみが格納されているので、判断部８４は、読出部３０から通知された端末装置名「ＰＣ７２」が、格納部８３から読み出された許可端末装置名に一致しないと判断する。
【０１６７】
一致しないと判断される（ステップＳ６０３）と、印刷制御部８５は、停止通知信号を生成して、通信部８１により、ＩＰルータ７５を介して端末装置７２へ送信する（ステップＳ６０４）。
【０１６８】
続いて、印刷制御部８５は、削除部３５により、印刷データ記憶部２９から印刷データを削除する（ステップＳ４０７）。これにより、印刷装置７１における印刷処理は終了する。
【０１６９】
なお、端末装置７２は、端末通信部２５により停止通知信号を受信すると、表示部２１が停止通知画面を表示する。これにより、印刷処理システム７０における印刷処理が終了する。
【０１７０】
以上のように、本実施例の印刷処理システムでは、有線ネットワークのセグメント情報に対応して、許可端末装置名が登録されるので、無線通信機能を具備しない印刷装置における許可端末装置名の登録が可能となり、適用範囲が拡大される。
【０１７１】
なお、本実施例では、印刷処理システムには、有線通信機能のみを備える印刷装置が採用されたが、無線通信機能を備える印刷装置を採用することもできる。
【０１７２】
また、本実施例では、許可端末装置の端末識別情報として、端末装置名が採用されたが、端末装置名に代えて、ＭＡＣアドレスやＩＰアドレス、ユーザ名等を採用することもできる。
【図面の簡単な説明】
【０１７３】
【図１】本発明の実施例１に係る印刷装置の構成を示すブロック図である。
【図２】本発明の実施例１に係る印刷処理システムの接続形態の一例を示す図（その１）である。
【図３】本発明の実施例１に係る印刷処理システムの接続形態の一例を示す図（その２）である。
【図４】端末装置の構成を示すブロック図である。
【図５】実施例１における格納部の構成を示す図である。
【図６】実施例１の印刷装置の構成を具体的に示す機能ブロック図である。
【図７】本発明に係る印刷装置における無線接続設定動作を示すフローチャートである。
【図８】無線接続設定画面の表示例を示す説明図である。
【図９】本発明に係る印刷装置における登録動作を示すフローチャートである。
【図１０】登録画面の表示例を示す説明図である。
【図１１】端末装置における印刷データ送信動作を示すフローチャートである。
【図１２】出力先選択画面の表示例を示す説明図である。
【図１３】本発明に係る印刷装置の実施例１における印刷動作を示すフローチャートである。
【図１４】本発明の実施例２に係る印刷処理システムの接続形態の一例を示す図（その１）である。
【図１５】本発明の実施例２に係る印刷処理システムの接続形態の一例を示す図（その２）である。
【図１６】本発明の実施例２に係る印刷装置の構成を示すブロック図である。
【図１７】実施例２における格納部の構成を示す図である。
【図１８】実施例２の印刷装置の構成を具体的に示す機能ブロック図である。
【図１９】本発明に係る印刷装置の実施例２における印刷動作を示すフローチャートである。
【図２０】本発明の実施例３に係る印刷処理システムの接続形態の一例を示す図（その１）である。
【図２１】本発明の実施例３に係る印刷処理システムの接続形態の一例を示す図（その２）である。
【図２２】本発明の実施例２に係る印刷装置の構成を示すブロック図である。
【図２３】実施例２における格納部の構成を示す図である。
【図２４】実施例２の印刷装置の構成を具体的に示す機能ブロック図である。
【図２５】本発明に係る印刷装置の実施例３における印刷動作を示すフローチャートである。
【符号の説明】
【０１７４】
１０、５０、７０  印刷処理システム
１１、５１、７１  印刷装置
１２、１３、１９、７２、７４  端末装置
１４、１５  アクセスポイント装置
１６、７７、７８  有線ネットワーク
１７、１８  無線ネットワーク
【図１】
2008272939.tif 000003
【図２】
2008272939.tif 000004
【図３】
2008272939.tif 000005
【図４】
2008272939.tif 000006
【図５】
2008272939.tif 000007
【図６】
2008272939.tif 000008
【図７】
2008272939.tif 000009
【図８】
2008272939.tif 000010
【図９】
2008272939.tif 000011
【図１０】
2008272939.tif 000012
【図１１】
2008272939.tif 000013
【図１２】
2008272939.tif 000014
【図１３】
2008272939.tif 000015
【図１４】
2008272939.tif 000016
【図１５】
2008272939.tif 000017
【図１６】
2008272939.tif 000018
【図１７】
2008272939.tif 000019
【図１８】
2008272939.tif 000020
【図１９】
2008272939.tif 000021
【図２０】
2008272939.tif 000022
【図２１】
2008272939.tif 000023
【図２２】
2008272939.tif 000024
【図２３】
2008272939.tif 000025
【図２４】
2008272939.tif 000026
【図２５】
2008272939.tif 000027